(57)【要約】【課題】飲用材料の収容体と飲料容器の間隔を簡単に変化させ得る飲料抽出装置を提供する。【解決手段】飲料抽出装置１は、飲料容器を載置する載置台２と、載置台２に立設される支持部３と、収容体を保持する保持部４と、保持部４に昇降運動をさせるための昇降構造５と、保持部４に昇降運動を伝達する伝達部９を備え、昇降構造５は、ラック６と、回動運動を行いラック６に沿って昇降運動を行うピニオン７と、ピニオン７の昇降運動を案内する第１のガイドレール８ａ〜８ｃを備え、伝達部９は、ピニオン７に設けられる第１の磁性体と、ピニオン７の昇降運動のみを保持部４へ伝達させる選択的伝達部材１１からなり、選択的伝達部材１１は、第１の磁性体に吸着し、かつ保持部４を支持する第２の磁性体１２と、第２の磁性体１２へピニオン７の回動運動が伝達することを抑制する抑制部材１３を有する。【選択図】図１
2020092834.tif 000002
【特許請求の範囲】
【請求項１】
飲料を抽出する際に使用される飲料抽出装置であって、
抽出された前記飲料を受ける容器を載置する載置台と、
この載置台に立設される長尺状の支持部と、
この支持部の一の面側に配設され、飲用材料を収容する収容体を保持する保持部と、
前記支持部の他の面側に配設され、前記保持部に対し前記支持部に沿った昇降運動をさせるための昇降構造と、
この昇降構造と前記保持部の間に介設され、前記保持部に対して前記昇降構造が駆動する前記昇降運動を伝達する伝達部を備え、
前記昇降構造は、前記支持部の中心軸寄りに噛合面が形成されるように前記支持部の長手方向に沿って設けられるラックと、前記長手方向に直交する回動軸を中心とした回動運動を行うことで前記ラックに沿って前記昇降運動を行うピニオンと、このピニオンの前記昇降運動を案内するため、前記ピニオンの周縁部をその左右両側において嵌合し、前記支持部の前記長手方向に沿って形成される第１のガイドレールを備え、
前記伝達部は、前記ピニオンに設けられる第１の磁性体と、前記ピニオンが行う前記昇降運動及び前記回動運動のうち、前記昇降運動のみを選択的に前記保持部へ伝達させる選択的伝達部材からなり、
この選択的伝達部材は、前記第１の磁性体に吸着し、かつ前記保持部を支持する第２の磁性体と、この第２の磁性体へ前記回動運動が伝達されることを抑制する抑制部材を有することを特徴とする飲料抽出装置。
【請求項２】
前記第２の磁性体は、少なくとも前記支持部の前記一の面寄りの一部が平面視で四角形状をなし、
前記抑制部材は、前記第２の磁性体に形成される複数の端面のうち、前記長手方向に沿った一対の端面にそれぞれ当接するように、前記支持部の前記一の面に形成される第２のガイドレールを有することを特徴とする請求項１に記載の飲料抽出装置。
【請求項３】
前記支持部は、連結部材を介し、前記載置台に対して着脱可能に構成されることを特徴とする請求項１又は請求項２に記載の飲料抽出装置。
【請求項４】
前記第２の磁性体は、前記支持部の前記一の面に接触する接触面と、この接触面と反対側の非接触面を有する平板状をなし、前記接触面及び前記非接触面が前記支持部の前記一の面に対していずれも平行となるように前記第１の磁性体に吸着し、
前記載置台と、前記支持部を連結する第１のジョイントと、
前記第２の磁性体の前記非接触面と、前記保持部を連結する第２のジョイントを備え、
前記支持部は、前記第１のジョイントを介し、前記載置台に対して側面視で平行又は直交するように回動可能であり、
前記保持部は、前記第２のジョイントを介し、前記第２の磁性体の前記非接触面に対して側面視で平行又は直交するように回動可能であることを特徴とする請求項１乃至請求項３のいずれか１項に記載の飲料抽出装置。
【請求項５】
前記載置台に載置された前記容器の内部を照明する照明具を備えることを特徴とする請求項１乃至請求項４のいずれか１項に記載の飲料抽出装置。
【発明の詳細な説明】
【技術分野】
【０００１】
本発明は、コーヒー、茶等の飲料を抽出する際に使用される飲料抽出装置に係り、特に、飲用材料の収容体を保持する保持部を手動で昇降させ、かつ所望の高さ位置に停止させることができる簡易な構成の飲料抽出装置に関する。
【背景技術】
【０００２】
従来、家庭や職場でコーヒーや茶を淹れるために、漉し器であるドリッパーや急須をそれぞれポットの給湯口の下方に配置して湯を注ぐという手法が行われていた。しかし、コーヒー粉末や茶葉をドリッパーや急須の内部に投入する際に、これらを周囲にこぼして清掃の手間が発生したり、飲用の都度ガラの廃棄やドリッパー等の洗浄をするのに手間がかかったりするという課題があった。
また、コーヒーを淹れる場合には、ドリッパーをコーヒーカップの上縁に置くため、カップに溜まったコーヒー液の量が分かり難いという課題もあった。さらに、茶を淹れる場合では、急須を手で保持している場合が多く、飛び散った湯が手にかかることがあるという課題もあった。
そこで、近年、飲用材料を収容する袋体を、人の手によらずに保持できるとともに、カップに注ぐ湯の量を容易に把握できる飲料抽出装置の技術が開発されており、それに関して既にいくつかの考案が開示されている。
【０００３】
特許文献１には「コーヒードリップ用スタンド」という名称で、コーヒーのフィルタを保持可能なスタンドに関する考案が開示されている。
以下、特許文献１に開示された考案について説明する。特許文献１に開示された考案は、支軸と、この支軸の上部に固定片と接続具を介して固定される円形輪と、支軸の下部に固定される半円形状の台座を備えることを特徴とする。
このような特徴を有する考案においては、円形輪にコーヒーの布製フィルタを載せ、台座の中心付近にカップを配置して布製フィルタに湯を注ぐと、カップに抽出液を受けることができる。すなわち、布製フィルタを使用するため従来のドリッパーを使用するよりも洗浄の手間が省け、かつカップに溜まったコーヒー液の量が分かり難く、湯が手にかかるおそれもない。
また、簡易な構成であるため、容易に持ち運んで所望の場所で使用することができる。
【０００４】
次に、特許文献２には「ドリップ兼用コーヒーバック抽出装置」という名称で、コーヒーのフィルタ製の袋を保持し、手動で昇降させることが可能な抽出装置に関する考案が開示されている。
特許文献２に開示された考案は、Ｃ字状の台座が下端に設置されるスタンドと、このスタンドに取り付けられるＣ字状のアームを備え、このアームは締め付けネジを介してスタンドに取り付けられるとともにフィルタ製の袋の吊り輪を掛ける突起が形成されることを特徴とする。
このような特徴を有する考案においては、アームの突起にフィルタ製の袋の吊り輪を掛けた後、袋に湯を注ぐと、カップに抽出液を受けることができる。また、アームは締め付けネジを介してスタンドに取り付けられるから、この締め付けネジを操作することでアームを自在に昇降させたり、所望の高さ位置でスタンドに固定させたりすることが可能である。
また、簡易な構成であるため、特許文献１に開示された考案と同様に、容易に持ち運んで所望の場所で使用することができる。
【０００５】
さらに、特許文献３には「自動給茶装置」という名称で、茶葉に対する給湯面積を自動で変化させて、茶の濃度を調節可能な給茶装置に関する考案が開示されている。
特許文献３に開示された考案は、湯を収容するタンクに設けられる給湯弁と、この給湯弁の下方に設けられるシャワーと、このシャワーの下方に設けられ茶葉を収容する茶こし器と、この茶こし器とシャワーとの相対位置を変える駆動手段を備え、この駆動手段は、茶こし器に固定されこの茶こし器を昇降自在に支持するラックと、このラックに噛み合うピニオンと、このピニオンを一定の回転角度だけ回転させるモータで構成したことを特徴とする。
このような特徴を有する考案においては、モータにより駆動されたピニオンが回転してラックが昇降するので、このラックが固定された茶こし器も昇降する。一方、シャワーの高さは変化しないため、茶こし器の昇降に伴い、茶こし器とシャワーとの間隔が拡大または縮小する。茶こし器とシャワーとの間隔が拡大すれば茶こし器に収容された茶葉の面積のうち、湯にかかる面積が広くなる。逆に、茶こし器とシャワーとの間隔が縮小すれば、湯にかかる茶葉の面積が狭くなる。よって、モータを駆動させるという簡単な操作のみによって、茶の濃度を自動的に調節可能である。
【先行技術文献】
【特許文献】
【０００６】
【特許文献１】実開昭６０−１４７３２２号公報
【特許文献２】実開平４−６４３１９号公報
【特許文献３】実開昭５５−８６６３０号公報
【発明の概要】
【発明が解決しようとする課題】
【０００７】
しかしながら、特許文献１に開示された考案においては、支軸が一定の長さであり伸縮しないことから、台座から円形輪までの高さを自在に変化させることができない。そのため、フィルタをカップに溜まったコーヒー液にしばらく浸漬してその濃度を濃くしたいといったきめ細かな調整ができず、個人毎の好みのとおりに抽出することが困難である。
また、特許文献１に開示された考案は、容易な持ち運びが可能であるものの、支軸と、円形輪と、台座はいずれも一体的に形成されており、分解や組み立てが不可能である。よって、持ち運び時や収納時に嵩張るという不都合が起きる可能性がある。
【０００８】
次に、特許文献２に開示された考案においては、アームを自在に昇降させたり、スタンドに固定させたりすることが可能であるから、前述したようなコーヒー液の濃度調整を行うことができる。しかしながら、アームを昇降させる際には、一方の手で締め付けネジを操作し、他方の手でアームを保持する必要がある。すなわち、片手で簡単にアームの高さ位置を変更できない点が煩雑であり、特にアームに掛けられたフィルタの袋に既に湯を注いだ後では、熱くなった袋に手が接触するおそれがある。
また、スタンドにおいては、Ｃ字状の台座を取り外すことができないので、特許文献１に開示された考案と同様に、持ち運び時等に嵩張るという不都合が起きる可能性がある。
【０００９】
さらに、特許文献３に開示された考案においては、簡単な操作のみによって、茶の濃度を自動的に調節可能である。しかし、茶こし器とラックは、互いに固定されているため、茶こし器を洗浄したい場合にラックを取り外す必要性があるものと考えられる。よって、この考案は、使用後の洗浄の手間を省くという課題を十分に解決できていない可能性がある。また、この考案は、電動式であり、給湯タンクも備えられているため、専ら据え付け型として使用するのに適しているものと考えられる。したがって、手軽に持ち運んで屋外等の所望の場所で使用したいという要望に対応することは困難である。
【００１０】
本発明は、このような従来の事情に対処してなされたものであり、コーヒー等の飲用材料を収容したドリップ袋等の収容体を人の手によらずに保持でき、しかも収容体に接触することなくこの収容体と飲料容器の間隔を片手で簡単に変化させて抽出液を好みの濃度に調整可能であり、さらに容易に分解及び組み立てができることで手軽な持ち運びとコンパクトな収納を可能とする簡易な構成の飲料抽出装置を提供することを目的とする。
【課題を解決するための手段】
【００１１】
上記目的を達成するため、第１の発明は、飲料を抽出する際に使用される飲料抽出装置であって、抽出された飲料を受ける容器を載置する載置台と、この載置台に立設される長尺状の支持部と、この支持部の一の面側に配設され、飲用材料を収容する収容体を保持する保持部と、支持部の他の面側に配設され、保持部に対し支持部に沿った昇降運動をさせるための昇降構造と、この昇降構造と保持部の間に介設され、保持部に対して昇降構造が駆動する昇降運動を伝達する伝達部を備え、昇降構造は、支持部の中心軸寄りに噛合面が形成されるように支持部の長手方向に沿って設けられるラックと、長手方向に直交する回動軸を中心とした回動運動を行うことでラックに沿って昇降運動を行うピニオンと、このピニオンの昇降運動を案内するため、ピニオンの周縁部をその左右両側において嵌合し、支持部の長手方向に沿って形成される第１のガイドレールを備え、伝達部は、ピニオンに設けられる第１の磁性体と、ピニオンが行う昇降運動及び回動運動のうち、昇降運動のみを選択的に保持部へ伝達させる選択的伝達部材からなり、この選択的伝達部材は、第１の磁性体に吸着し、かつ保持部を支持する第２の磁性体と、この第２の磁性体へ回動運動が伝達されることを抑制する抑制部材を有することを特徴とする。
【００１２】
このような構成の発明において、ラックは、支持部の長手方向に沿って設けられ、支持部に対して昇降しない構造である。また、支持部は、ピニオンに設けられる第１の磁性体と、第２の磁性体が吸着しない材質からなり、例えば、アクリル等の合成樹脂製の平板や、木製の平板が使用される。そのため、ピニオンは、第１の磁性体が設けられるが、その回動軸を中心とした回動運動を行うことができる。なお、ピニオンは、直接手で把持されて回動操作されるほか、例えば、回動軸を中心として取り付けられた蝶ネジやハンドルを操作することにより回動操作されても良い。
また、第１のガイドレールは、ピニオンの周縁部をその左右両側において嵌合するため、ピニオンが回動運動を行うとき、その周面に形成されているギヤがラックの噛合面から外れることなくこの噛合面に噛合し続ける。よって、ピニオンは、第１のガイドレールに保持されて回動運動を行い、これにより第１のガイドレールに案内されて支持部の長手方向に沿った昇降運動を行う。
【００１３】
一方、伝達部を構成する選択的伝達部材は、ピニオンに設けられる第１の磁性体に吸着し、かつ保持部を支持する第２の磁性体を備える。ただし、伝達部は昇降構造と保持部の間に介設されることから、第２の磁性体は、第１の磁性体に直接ではなく、支持部を介して吸着している。さらに、前述したように、第１の磁性体に加えて、第２の磁性体も支持部には吸着しない構造である。
よって、保持部は、第１の磁性体と第２の磁性体の吸着によって支持部の一の面から落下することなく、支持部の一の面に沿って摺動可能となるから、ピニオンの回動運動と昇降運動に伴って回動運動と昇降運動をしようとする。
しかし、選択的伝達部材は、第２の磁性体へ回動運動が伝達することを抑制する抑制部材を備えるので、ピニオンの昇降運動のみが保持部に伝達される。
【００１４】
したがって、上記構成の発明においては、ピニオンをその回動軸を中心として双方向に手動で回動させることにより、収容体を載置台の上面から遠ざけたり、この上面に近づけたりすることができる。このとき、保持部は第１及び第２の磁性体を介してピニオンに吸着し、ピニオンはその周面のギヤがラックの噛合面に噛合していることから、ピニオンが回動しない限り保持部は昇降運動を行わない。
【００１５】
次に、第２の発明は、第１の発明において、第２の磁性体は、少なくとも支持部の一の面寄りの一部が平面視で四角形状をなし、抑制部材は、第２の磁性体の端面のうち、長手方向に沿った一対の端面にそれぞれ当接するように、支持部の一の面に形成される第２のガイドレールを有することを特徴とする。
このような構成の発明においては、第１の発明の作用に加えて、第１の磁性体が回動運動と昇降運動をするのに伴って、第２の磁性体も同様の運動をしようとする。しかし、第２の磁性体の端面のうち、長手方向に沿った一対の端面に第２のガイドレールが当接するため、第２の磁性体がピニオンの回動軸を中心とする双方向の回動運動を行うことが抑制される。
また、第２のガイドレールは長手方向に開放された構造である。そのため、第２の磁性体が支持部の長手方向に沿ってスライド移動可能であり、その昇降運動は許容される。
【００１６】
続いて、第３の発明は、第１又は第２の発明において、連結部材を介し、載置台に対して着脱可能に構成されることを特徴とする。
このような構成の発明においては、第１又は第２の発明の作用に加えて、支持部と載置台を自在に分解し、組み立てることができる。なお、連結部材として、例えば、支持部と載置台に架け渡されるＬ字状金具が考えられる。
【００１７】
さらに、第４の発明は、第１乃至第３のいずれかの発明において、第２の磁性体は、支持部の一の面に接触する接触面と、この接触面と反対側の非接触面を有する平板状をなし、接触面及び非接触面が支持部の一の面に対していずれも平行となるように第１の磁性体に吸着し、載置台と、支持部を連結する第１のジョイントと、第２の磁性体の非接触面と、保持部を連結する第２のジョイントを備え、支持部は、第１のジョイントを介し、載置台に対して側面視で平行又は直交するように回動可能であり、保持部は、第２のジョイントを介し、第２の磁性体の非接触面に対して側面視で平行又は直交するように回動可能であることを特徴とする。
このような構成の発明においては、第１乃至第３のいずれかの発明の作用に加えて、載置台と、支持部は、第１のジョイントを介して連結されるため、これらは一体的に構成されて分離することができない。また、第２の磁性体の非接触面と、保持部は、第２のジョイントを介して連結されるため、第２の磁性体が第１の磁性体に吸着している場合には、支持部と保持部は一体的に構成される。
【００１８】
上記構成の発明においては、飲料抽出装置を使用しない場合には、側面視で、支持部を載置台に対して平行とすることができる。また、第２の磁性体は、平板状をなし、接触面及び非接触面が支持部の一の面に対していずれも平行となるように第１の磁性体に吸着することから、保持部を支持部に対して平行とすることもできる。すなわち、飲料抽出装置を全体的に略平板状の折り畳み状態にすることができる。
この折り畳み状態から、側面視で、支持部が載置台に対して直交し、かつ保持部が支持部に対して直交するように変化させた後に載置台を水平に設置すると、保持部も水平となるため、飲料抽出装置は収容体を保持可能な状態になる。
ただし、第３の発明に係る連結部材を備えない場合には、支持部が載置台に対して直交した状態を維持するために、第１のジョイントが回動運動をしないようにロックされることが必要である。また、第２のジョイントにおいても、保持部が支持部に対して直交した状態を維持するために、第２のジョイントが回動運動をしないようにロックされることが必要である。ただし、第２のジョイントに、第３の発明に係る連結部材と同様な連結部材を取り付ける場合は、ロック機構は不要である。
このような条件を満たす第１及び第２のジョイントとして、例えば、ロック機構を有する平蝶番やステー、又は両腕が開く方向に付勢され、最大で９０度の開度を有するねじりばねが考えられる。
【００１９】
続いて、第５の発明は、第１乃至第４のいずれかの発明において、載置台に載置された容器の内部を照明する照明具を備えることを特徴とする。
このような構成の発明においては、第１乃至第４のいずれかに記載の発明の作用に加えて、照明具によって容器の内部が照明されるので、容器に溜まった飲料の状態が視認され易い。
【発明の効果】
【００２０】
第１の発明によれば、保持部を備えることから、収容体を人の手によらずに保持できる。そして、この保持部は、昇降構造のピニオンを手動で回動させるという簡単な操作により、収容体に接触することなく収容体と飲料容器の間隔を片手で簡単に変化させることが可能である。よって、第１の発明によれば、飲料を好みの濃度に調整することができる。
さらに、第１の発明によれば、ピニオンは第１のガイドレールに案内されて支持部の長手方向に沿った昇降運動が可能となることから、簡易な構成でありながら、精度良く保持部を昇降運動させることができる。
加えて、抑制部材を備えることにより、ピニオンの回動運動は保持部へ伝達されずに昇降運動のみが伝達されるため、保持部はその姿勢を回動によって変化させることなく昇降運動を行うことができる。
【００２１】
第２の発明によれば、第１の発明の効果に加えて、第２の磁性体を平面視で四角形状とし、かつ第２の磁性体の端面のうち、長手方向に沿った一対の端面に第２のガイドレールが当接するという簡易な構成により、ピニオンの回動運動が保持部に伝達されるのを抑制し、保持部を回動不能とすることができる。
【００２２】
第３の発明によれば、第１又は第２の発明の効果に加えて、支持部と載置台を自在に分解し、組み立てることができる。また、保持部を支持する第２の磁性体は支持部には吸着しない構造であるから、支持部と保持部をも自在に分解し、組み立てることができる。
したがって、第３の発明によれば、載置台と、支持部と、保持部を容易に分解できるから、飲料抽出装置全体を手軽に持ち運んだり、コンパクトに収納したりすることが可能である。さらに、簡単に組み立てることができるため、すぐに飲料を飲みたいときにもストレスなく抽出を開始することができる。
【００２３】
第４の発明によれば、第１乃至第３のいずれかの発明の効果に加えて、第１及び第２のジョイントを備えることで、支持部と、載置台と、保持部をそれぞれ連結させることができるから、不使用時にこれらの一部が紛失することを防止できる。また、折り畳み状態にした場合、飲料抽出装置は全体的に略平板状になるので、持ち運び時や収納時に嵩張ることがなく便利である。
【００２４】
第５の発明によれば、第１乃至第４のいずれかの発明の効果に加えて、照明具によって容器に溜まった飲料の状態が視認され易いため、収容体に注ぐ湯の量を大きく間違えることがない。
【図面の簡単な説明】
【００２５】
【図１】実施例に係る飲料抽出装置の外観を示す斜視図である。
【図２】実施例に係る飲料抽出装置を構成する支持部を、この支持部の他の面側から視た場合の平面図である。
【図３】（ａ）は図２におけるＡ線矢視図であり、（ｂ）は図２におけるＢ−Ｂ線矢視断面の一部を拡大した部分拡大図である。
【図４】実施例に係る飲料抽出装置が分解された状態を示す側面図である。
【図５】実施例に係る飲料抽出装置の使用状態を示す側面図である。
【図６】（ａ）及び（ｂ）は、それぞれ実施例の変形例に係る飲料抽出装置の使用状態及び折り畳み状態を示す側面図である。
【発明を実施するための形態】
【実施例】
【００２６】
本発明の第１の実施の形態に係る飲料抽出装置について、図１乃至図６を用いて詳細に説明する。図１は、実施例に係る飲料抽出装置の外観を示す斜視図である。図２は、実施例に係る飲料抽出装置を構成する支持部を、この支持部の他の面側から視た場合の平面図である。
図１に示すように、実施例１に係る飲料抽出装置１は、飲料を抽出する際に使用される飲料抽出装置である。
飲料抽出装置１は、抽出された飲料を受ける容器を載置する載置台２と、この載置台２に立設される長尺状の支持部３を備える。載置台２として、例えば木製の平板が使用される。また、支持部３としては、後述するピニオン７に設けられる第１の磁性体１０（図３（ｂ）を参照）と、第２の磁性体１２が吸着しないような材質が選択される。具体的には、支持部３は、例えばアクリル等の合成樹脂製の薄板や、木製の薄板が使用される。つまり、支持部３は、強磁性を有しない材質、すなわち常磁性や反磁性を有する材質であることが望ましい。
【００２７】
さらに、飲料抽出装置１は、支持部３の一の面３ａ側に配設され、飲用材料を収容する収容体５０（図５を参照）を保持する保持部４と、支持部３の他の面３ｂ側に配設され、保持部４に支持部３の長手方向Ｈに沿った昇降運動をさせるための昇降構造５と、この昇降構造５と保持部４の間に介設され、保持部４に対して昇降構造５が駆動する昇降運動を伝達する伝達部９を備える。
このうち、保持部４は、金属製のリング４ａと、このリング４ａの一箇所が接着剤で固着される円板状の磁性体４ｂからなる。なお、この磁性体４ｂは、第２の磁性体１２へ吸着可能である。よって、収容体５０が不織布製の袋体５０ａ（図５を参照）と、この袋体５０ａの両側面に取り付けられる一対の持ち手５０ｂ,５０ｂ（図５を参照）を備える場合に、リング４ａに一対の持ち手５０ｂ,５０ｂをそれぞれ掛止することができる。
【００２８】
また、昇降構造５は、保持部４と直接連結されてこれを昇降運動させるのではなく、伝達部９を介して保持部４を昇降運動させるための構成要素であり、ラック６と、ピニオン７と、第１のガイドレール８ａ〜８ｃを備える。
このうち、図２に示すように、ラック６は、支持部３の中心軸Ｙ寄りに噛合面６ａが形成されるように支持部３の長手方向Ｈに沿って設けられる。また、ピニオン７は、長手方向Ｈに直交する回動軸Ｘを中心とした回動運動を行うことでラック６に沿って昇降運動を行う。次いで、第１のガイドレール８ａ〜８ｃは、ピニオン７の昇降運動を案内するため、ピニオン７の周縁部７ａをその左右両側において嵌合（図２中斜線部）し、支持部３の長手方向Ｈに沿って形成される。
なお、ラック６と、ピニオン７の材質は、例えば、第１の磁性体１０と、第２の磁性体１２が強く吸着されることを避けるために、アルミニウムが選択される。また、第１のガイドレール８ａ〜８ｃは、支持部３と同様の、合成樹脂製の薄板からなる。
【００２９】
そして、図１に示すように、伝達部９は、ピニオン７に設けられる第１の磁性体１０（図３（ｂ）を参照）と、ピニオン７が行う昇降運動及び回動運動のうち、昇降運動のみを選択的に保持部４へ伝達させる選択的伝達部材１１からなる。
このうち、第１の磁性体１０は、略リング状をなし、ピニオン７の回動軸Ｘの周辺に埋設されている（図３（ｂ）を参照）。また、選択的伝達部材１１は、第１の磁性体１０に吸着し、かつ保持部４を支持する第２の磁性体１２と、この第２の磁性体１２へピニオン７が行う回動運動が伝達することを抑制する抑制部材１３を有する。
【００３０】
詳細には、第２の磁性体１２は、全体的に平面視で四角形状をなし、かつ支持部３の一の面３ａに接触する接触面１２ａ（図３を参照）と、この接触面１２ａと反対側の非接触面１２ｂを有する平板状である。そして、第２の磁性体１２は、接触面１２ａ及び非接触面１２ｂが支持部３の一の面３ａに対していずれも平行となるように、接触面１２ａにおいて第１の磁性体１０に吸着する。また、非接触面１２ｂには、磁性体４ｂが吸着している。さらに、保持部４のリング４ａが、その一箇所において接着剤によって磁性体４ｂに固着されることにより、第２の磁性体１２が保持部４を支持している。なお、第１の磁性体１０と、第２の磁性体１２と、保持部４の磁性体４ｂは、保持部４に保持した収容体５０へ湯を注ぐ場合に、少なくともこれらが互いに分離しない程度の吸着力を有している。しかし、これらの磁性体１０,１２,４ｂは、手で分離困難な程の強力な吸着力を有してはいない。さらに、第２の磁性体１２は、全体的に平面視で四角形状をなす以外にも、少なくとも支持部３の一の面３ａ寄りの一部が平面視で四角形状をなしていれば良く、残りの部分について平面視した場合の形状は特に限定されない。
また、抑制部材１３は、第２の磁性体１２に形成される複数の端面のうち、長手方向Ｈに沿った一対の端面にそれぞれ当接するように、支持部３の一の面３ａに形成される第２のガイドレール１３ａ,１３ｂであって、支持部３と同様の、合成樹脂製の薄板からなる。すなわち、第２のガイドレール１３ａ,１３ｂは、長手方向Ｈに沿って上下方向へ開放された構造である。
【００３１】
そして、支持部３の一方の端面３ｃ寄りにおいて、第２のガイドレール１３ａと、支持部３と、ラック６と、第１のガイドレール８ａは重ね合わされた上、支持部３の上端及び下端と、その中間にそれぞれ設けられた留め部材１４によって締め付けられ、互いに分離不能に接合されている。
他方の端面３ｄ寄りにおいても、第２のガイドレール１３ｂと、支持部３と、第１のガイドレール８ｃと、第１のガイドレール８ｂは、同様に３か所の留め部材１３によって接合されている。なお、留め部材１４は、ビスと、ナットと、ワッシャーからなる。
【００３２】
次に、実施例に係る飲料抽出装置を構成する昇降構造と伝達部について、図３を用いて説明する。図３（ａ）は図２におけるＡ線矢視図であり、図３（ｂ）は図２におけるＢ−Ｂ線矢視断面の一部を拡大した部分拡大図である。なお、図１及び図２で示した構成要素については、図３においても同一の符号を付して、その説明を省略する。
図３（ａ）に示すように、昇降構造５は、支持部３の中心軸Ｙ（図１を参照）寄りに噛合面６ａが形成されるラック６と、ラック６に沿って昇降運動を行うピニオン７と、ピニオン７の周縁部７ａをその左右両側において嵌合する第１のガイドレール８ａ〜８ｃを備える。
【００３３】
第１のガイドレール８ａ〜８ｃのうち、第１のガイドレール８ａは、支持部３の一方の端面３ｃ寄りにラック６と重ねられて設けられる。また、第１のガイドレール８ｂ,８ｃは支持部３の他方の端面３ｄ寄りに互いに重ねられて設けられる。さらに、回動軸Ｘに沿った方向において、第１のガイドレール８ｃの厚みは、ラック６の厚みと同一である。
すなわち、第１のガイドレール８ａは、ラック６の噛合面６ａと、支持部３の他の面３ｂとともにレール溝Ｒ１を形成し、ピニオン７の周縁部７ａのうちの一部（図中、回動軸Ｘの右側）を嵌合する。また、第１のガイドレール８ｂは、第１のガイドレール８ｃと、支持部３の他の面３ｂとともにレール溝Ｒ２を形成し、周縁部７ａのうち、レール溝Ｒ１に嵌め込まれた一部と回動軸Ｘを挟んで対称的な位置にある一部（図中、回動軸Ｘの左側）を嵌合する。
【００３４】
また、図３（ｂ）に示すように、伝達部９は、ピニオン７に設けられる第１の磁性体１０と、選択的伝達部材１１からなる。この選択的伝達部材１１は、第２の磁性体１２と、抑制部材１３を有する。
ピニオン７は、周縁部７ａと、回動軸Ｘを含む中心部７ｂを備える。回動軸Ｘ方向において、中心部７ｂの厚みは、周縁部７ａの厚みよりも分厚くなっている。また、ピニオン７は、支持部３の他の面３ｂに接触する接触面７ｃと、その反対にある表面７ｄが形成されている。
さらに、接触面７ｃには回動軸Ｘを中心として円形に凹部７ｅが形成されており、この凹部７ｅに略リング状の第１の磁性体１０が埋設される。
【００３５】
ピニオン７の中心部７ｂには、回動軸Ｘに沿って留め部材１５が設けられる。この留め部材１５は、先端部に外歯車１５ｄが形成されるビス１５ａと、このビス１５ａのネジ部に螺合するナット１５ｂと、ワッシャー１５ｃからなり、接触面７ｃから表面７ｄへ貫通するようにねじ込まれている。
そのため、凹部７ｅに埋設された第１の磁性体１０は、ビス１５ａの頭部によって表面７ｄ側へ押圧されることで、第１の磁性体１０から第２の磁性体１２が取り外される際に凹部７ｅから脱落しないように固定されている。そして、ビス１５ａの頭部と第１の磁性体１０は、接触面７ｃから突出せずにこの接触面７ｃとともにほぼ一様な平坦面を形成している。
さらに、中心部７ｂの表面７ｄ側においては、ビス１５ａの外歯車１５ｄに螺合する内歯車１６ａが形成される蝶ネジ１６が、着脱可能に取り付けられる。
【００３６】
続いて、実施例に係る飲料抽出装置の分解可能な構成について、図４を用いて説明する。図４は、実施例に係る飲料抽出装置が分解された状態を示す側面図である。なお、図１乃至図３で示した構成要素については、図４においても同一の符号を付して、その説明を省略する。
図４に示すように、支持部３は、連結部材１７を介し、載置台２に対して着脱可能に構成される。連結部材１７として、例えば側面視で支持部３と載置台２に架け渡されるＬ字状金具が使用される。この連結部材１７は、磁性体に吸着可能な金属板であって、垂直姿勢となるように用いられる垂直部１７ａと、水平姿勢となるように用いられる水平部１７ｂからなる。
また、載置台２の底面の一箇所には、穴部２ａが形成される。この穴部２ａの天井部には薄板状の磁性体２ｂが接着剤で貼着されている。
したがって、垂直部１７ａをレール溝Ｒ１,Ｒ２（図３（ａ）を参照）に挿入し、かつ水平部１７ｂを穴部２ａに挿入すると、連結部材１７が図中破線で示すように取り付けられる。したがって、水平部１７ｂが磁性体２ｂに吸着して支持部３を載置台２に対して垂直に立設した状態になり、飲料抽出装置１が組み立てられる。
【００３７】
さらに、実施例に係る飲料抽出装置の使用状態について、図５を用いて説明する。図５は、実施例に係る飲料抽出装置の使用状態を示す側面図である。なお、図１乃至図４で示した構成要素については、図５においても同一の符号を付して、その説明を省略する。
図５に示すように、飲料抽出装置１を使用する手順の一例として、まず載置台２と支持部３を前述したとおりに組み立て、ピニオン７に埋設された第１の磁性体１０に、第２の磁性体１２を吸着させる。さらに、第２の磁性体１２に、保持部４の磁性体４ｂを吸着させる。
続いて、載置台２上にカップ５１を置き、保持部４のリング４ａに収容体５０の一対の持ち手５０ｂ,５０ｂを掛止する。そして、蝶ネジ１６を回動軸Ｘを中心として回動操作することで、ピニオン７を回動運動させ、カップ５１と袋体５０ａの間隔が適切となるような位置に昇降運動させる。その後、上端を開封した袋体５０ａへ湯を注ぐ。
【００３８】
また、飲料抽出装置１には、載置台２に載置されたカップ５１の内部を照明する照明具１８を備えることもできる。照明具１８は、図示しない電池によって電力供給されるＬＥＤ１８ａと、第２の磁性体１２に吸着する略平板状の磁性体１８ｂと、ＬＥＤ１８ａと磁性体１８ｂを連結し自在に屈曲可能な屈曲部材１８ｃからなる。屈曲部材１８ｃの具体例としては、例えばビニル被覆された針金が使用される。なお、ＬＥＤ１８ａが照射する光は、カップ５１の内部を最も視認し易い色として、桃色光が選択されている。ただし、照明具１８は省略されても良いし、ＬＥＤ１８ａとして桃色光以外の光を照射するものが用いられても良い。
【００３９】
上記構成の飲料抽出装置１においては、第１のガイドレール８ａ〜８ｃは、ピニオン７の周縁部７ａをその左右両側において嵌合する（図２,３（ａ）を参照）ため、ピニオン７が回動運動を行うとき、その周面に形成されているギヤがラック６の噛合面６ａから外れることなくこの噛合面６ａに噛合し続ける。よって、ピニオン７が回動運動を行うとき、第１のガイドレール８ａ〜８ｃ等によって形成されたレール溝Ｒ１,Ｒ２（図３（ａ）を参照）に案内されて支持部３の長手方向Ｈに沿った昇降運動が可能となる。
なお、ピニオン７を回動操作しない場合において、保持部４のリング４ａに掛止されている収容体５０へ湯を注ぐ程度の荷重によって、ピニオン７が意図せず回動して下方へずり下がることがないように、ピニオン７のギヤ及び噛合面６ａの形状と、ピニオン７の自重が適切に設計されている。すなわち、ピニオン７が回動しない限り保持部４は昇降運動を行うことはない。
一方、伝達部９の第１の磁性体１０と第２の磁性体１２は、昇降構造５と保持部４の間に介設される。詳細には、支持部３を挟んでピニオン７と第２の磁性体１２が対向するから、第２の磁性体１２は、ピニオン７に埋設された第１の磁性体１０に、直接ではなく支持部３を介して吸着している。ただし、支持部３はアクリル製であって強磁性を有しないため、第１の磁性体１０と第２の磁性体１２は、いずれも支持部３には吸着しない構造となっている。
【００４０】
よって、ピニオン７が行う回動運動と昇降運動に伴い、第１の磁性体１０に吸着した第２の磁性体１２も同様の２種類の運動をしようとする。そのため、保持部４も、支持部３の一の面３ａから落下することなく、この一の面３ａに沿って摺動可能となるから、ピニオンの回動運動と昇降運動に伴って回動運動と昇降運動をしようとする。
しかし、伝達部９においては、第２の磁性体１２が平面視で四角形状をなし、かつ抑制部材１３として第２のガイドレール１３ａ,１３ｂが第２の磁性体１２の長手方向Ｈに沿った一対の端面にそれぞれ当接するように形成されるため、第２の磁性体１２が回動運動を行うことが双方向ともに抑制されてしまう。これに対し、第２のガイドレール１３ａ,１３ｂは長手方向Ｈに開放された構造であるため、第２の磁性体１２の昇降運動は許容される。
これにより、第２の磁性体１２に固着された保持部４も昇降運動のみが可能となるので、ピニオン７が回動運動しても収容体５０をひっくり返すことなく保持することができる。
【００４１】
以上説明したように、実施例に係る飲料抽出装置１によれば、保持部４のリング４ａに一対の持ち手５０ｂ,５０ｂを掛止できることから、収容体５０を人の手によらずに保持できる。そのため、袋体５０ａへ注ぐことで飛び散った湯が手にかかることがないので、使用者の年齢に関わらず安全に飲料を抽出することが可能である。
また、収容体５０として、粉末の飲用材料が既に封入されている市販のドリップ袋を使用すれば、飲用材料を周囲にこぼして清掃が必要になることがなく、さらにガラの廃棄に手間がかかることもないため、一層手軽に飲料を抽出することができる。
そして、この保持部４は、蝶ネジ１６を摘まんでピニオン７を手動で回動させるという簡単な操作により、収容体５０に接触することなく収容体５０とカップ５１の間隔を片手で簡単に変化させることが可能である。よって、飲料抽出装置１によれば、抽出の都度、飲料を好みの濃度に調整することができる。
【００４２】
さらに、飲料抽出装置１によれば、ビス１５ａの頭部と第１の磁性体１０は、ピニオン７の接触面７ｃとともにほぼ一様な平坦面を形成しているため、ピニオン７が回動運動を行う際に、接触面７ｃは常に支持部３の他の面３ｂに対して平行な姿勢を保って摺動することが可能となる。そのため、ピニオン７のギヤがラック６の噛合面６ａに対して斜めに噛み合うことを回避できる。さらに、ピニオン７は第１のガイドレール８ａ〜８ｃ等によって形成されたレール溝Ｒ１，Ｒ２に案内されるため、支持部３の長手方向Ｈに沿った昇降運動を行うことが可能となる。よって、飲料抽出装置１によれば、ラック６とピニオン７という簡易な構成の昇降構造５を備えていながら、ピニオン７の回動運動を安定的に行わせることができ、ひいては保持部４を精度良く昇降運動させることができる。
【００４３】
加えて、飲料抽出装置１によれば、選択的伝達部材１１が第２の磁性体１２へピニオン７の回動運動が伝達することを抑制する抑制部材１３を備えることにより、ピニオン７の昇降運動のみが保持部４へ伝達されるため、保持部４はその姿勢を回動によって変化させることなく昇降運動を行うことができる。よって、収容体５０の袋体５０ａに収容された飲用材料がこぼれることがない。
具体的には、選択的伝達部材１１は、第２の磁性体を平面視で四角形状をなす第２の磁性体１２と、第２の磁性体１２の長手方向に沿った一対の端面に当接する第２のガイドレール１３ａ,１３ｂであるが、このような簡易な構成により、保持部４を双方向に回動不能とすることができるという点が特に優れている。
一方で、ピニオン７が回動しない限り保持部４は昇降運動を行うことがないため、保持部４を昇降させる際と、昇降させずに一箇所に留める際のいずれにおいても、保持部４が下方へずれ下がることがないので、安心して袋体５０ａに湯を注ぐことができる。よって、湯を注ぐときに保持部４を手で持っておく必要がなく、安全性と操作性が良好である。
【００４４】
さらに、飲料抽出装置１によれば、支持部３と載置台２を自在に分解し、組み立てることができる。また、第１の磁性体１０と、第２の磁性体１２と、保持部４の磁性体４ｂは、リング４ａに保持した収容体５０へ湯を注ぐ場合に、少なくともこれらが互いに分離しない程度であり、かつこれらを手で分離困難な程の強力な吸着力を有していないから、支持部３と、第２の磁性体１２と、保持部４を、それぞれ自在に分解し、組み立てることができる。
したがって、飲料抽出装置１によれば、載置台２と、支持部３と、保持部４を容易に分解できるから、飲料抽出装置１全体を手軽に持ち運んだり、コンパクトに収納したりすることが可能である。さらに、簡単に飲料抽出装置１を組み立てることができるため、すぐに飲料を飲みたいときにもストレスなく抽出を開始することができる。
また、飲料抽出装置１は、載置台２と、支持部３と、保持部４と、昇降構造５等からなる簡易な構成であるため、容易に製造可能であり、その際のコストも低く抑えることができる。また、照明具１８を必要に応じて取り付け可能であるから、コーヒーや紅茶等を抽出する場合に、その色の濃淡を確認しながら湯を注ぐことが可能となるので、飲料を好みの味に失敗なく仕上げることができる。
【００４５】
次に、実施例に係る飲料抽出装置の変形例について、図６を用いて説明する。図６（ａ）及び図６（ｂ）は、それぞれ実施例の変形例に係る飲料抽出装置の使用状態及び折り畳み状態を示す側面図である。なお、図１乃至図５で示した構成要素については、図６においても同一の符号を付して、その説明を省略する。
図６（ａ）及び図６（ｂ）に示すように、飲料抽出装置１の変形例に係る飲料抽出装置１ａは、載置台２と、支持部３を連結する第１のジョイント１９と、第２の磁性体１２の非接触面１２ｂと、保持部４の磁性体４ｂを連結する第２のジョイント２０を備える。
これにより、支持部３は、第１のジョイント１９を介し、載置台２に対して側面視で平行又は直交するように回動可能であり、保持部４のリング４ａは、第２のジョイント２０を介し、第２の磁性体１２の非接触面１２ｂに対して側面視で平行又は直交するように回動可能である。
【００４６】
具体的には、第１のジョイント１９として、例えば、ピン１９ａと、このピン１９ａに取り付けられる一対の羽根１９ｂ,１９ｃを有する平蝶番が使用される。なお、これらの羽根１９ｂ,１９ｃは、それぞれ支持部３の一の面３ａの下方と、載置台２の上面に接着剤で貼着されている。
また、第２のジョイント２０としても、例えば、ピン２０ａと、このピン２０ａに取り付けられる一対の羽根２０ｂ,２０ｃを有する平蝶番が使用され、これらの羽根２０ｂ,２０ｃは、それぞれ第２の磁性体１２の非接触面１２ｂと、保持部４の磁性体４ｂに接着剤で貼着される。
飲料抽出装置１ａにおける上記以外の構成は、実施例に係る飲料抽出装置１の構成と同様である。
【００４７】
上記構成の飲料抽出装置１ａにおいては、第２の磁性体１２の接触面１２ａ及び非接触面１２ｂが支持部３の一の面３ａに対していずれも平行となるように第１の磁性体１０に吸着するため、保持部４のリング４ａが、非接触面１２ｂに対して側面視で平行又は直交するとき、リング４ａは支持部３の一の面３ａに対してそれぞれ平行又は直交することになる。
なお、図６（ａ）に示すように、側面視で、載置台２と支持部３が互いに平行する場合を、第１のジョイント１９の回動角度、すなわち羽根１９ｂに対する羽根１９ｃの回動角度が０度であるとする。また、支持部３と保持部４のリング４ａが互いに平行する場合を、第２のジョイント２０の回動角度、すなわち羽根２０ｂに対する羽根２０ｃの回動角度が０度であるとする。さらに、回動角度の符号については、第１のジョイント１９及び第２のジョイント２０ともに時計回り方向を「＋」、反時計回り方向を「−」とする。
これらの定義によれば、図６（ｂ）に示すように、第１のジョイント１９において、羽根１９ｃは、羽根１９ｂに対し０度から＋９０度の範囲内でピン１９ａを中心として回動する。第２のジョイント２０においても、羽根２０ｃは、羽根２０ｂに対し０度から−９０度の範囲内でピン２０ａを中心として回動する。
【００４８】
また、第１のジョイント１９は、ロック機構付きであって、羽根１９ｂに対する羽根１９ｃの回動角度が０度と、＋９０度になる場合に、それぞれ羽根１９ｃの回動がロックされる。第２のジョイント２０も同様のロック機構付きであって、羽根２０ｂに対する羽根２０ｃの回動角度が０度と、−９０度になる場合に、それぞれ羽根２０ｃの回動がロックされる。なお、これらのロックは、ピン１９ａ又はピン２０ａをそれぞれの長手方向に押すことで、解除可能である。
よって、飲料抽出装置１を側面視した場合では、第１のジョイント１９において、支持部３が載置台２に対して側面視で平行する場合には、回動角度が０度でロックされる。また、支持部３が載置台２に対して側面視で直交する場合には、回動角度が＋９０度でロックされる。
さらに、第２のジョイント２０においても、保持部４のリング４ａが支持部３の一の面３ａに対して平行する場合には、回動角度が０度でロックされる。また、リング４ａが一の面３ａに対して側面視で直交する場合には、回動角度が−９０度でロックされる。
飲料抽出装置１ａにおける上記以外の作用は、実施例に係る飲料抽出装置１の作用と同様である。
【００４９】
したがって、飲料抽出装置１ａによれば、第１のジョイント１９と、第２のジョイント２０を備えることで、載置台２と、支持部３と、保持部４をそれぞれ連結させることができるから、不使用時にこれらの一部が紛失することを防止できる。また、折り畳み状態にした場合、飲料抽出装置１ａは全体的に略平板状になるので、持ち運び時や収納時に嵩張ることがなく便利である。
さらに、支持部３が載置台２に対して側面視で直交する場合には第１のジョイント１９の回動角度が＋９０度でロックされ、リング４ａが一の面３ａに対して側面視で直交する場合には第２のジョイント２０の回動角度が−９０度でロックされるため、袋体５０ａに湯を注ぐ場合に支持部３が倒れたり、リング４ａが斜め下方に傾斜したりすることを防止できる。
飲料抽出装置１ａにおける上記以外の効果は、実施例に係る飲料抽出装置１の効果と同様である。
【００５０】
なお、本発明に係る飲料抽出装置１,１ａは、実施例に示すものに限定されない。例えば、第１のガイドレール８ａ〜８ｃのうち、第１のガイドレール８ｂ，８ｃは、一体的に形成されても良い。また、選択的伝達部材１１として、第２のガイドレール１３ａ,１３ｂ、及び四角形状をなす第２の磁性体１２の代わりに、支持部３の一の面３ａに長手方向Ｈに沿って形成される、横断面が凸状をなすレール、及びこのレールが嵌め込まれる凹部が形成された第２の磁性体が考えられる。このとき、第２の磁性体はレールによって回動運動を行うことが抑制されるため、必ずしも四角形状をなしていなくても良い。
また、蝶ネジ１６の代わりに、留め部材１５の外歯車１５ｄに螺合する内歯車を有するハンドルが使用されても良く、載置台２の上面に水分の透過を防止する不透性層や、カップ５１の横滑りを防止する滑り止め層が設けられても良い。このほか、載置台２の底面に磁性体が設けられて、冷蔵庫の壁面といった所望の箇所に載置台２が吸着可能に構成されても良い。
【産業上の利用可能性】
【００５１】
本発明は、飲料を抽出する際に使用される飲料抽出装置として利用可能である。
【符号の説明】
【００５２】
１，１ａ…飲料抽出装置  ２…載置台  ２ａ…穴部  ２ｂ…磁性体  ３…支持部  ３ａ…一の面  ３ｂ…他の面  ３ｃ…一方の端面  ３ｄ…他方の端面  ４…保持部  ４ａ…リング  ４ｂ…磁性体  ５…昇降構造  ６…ラック  ６ａ…噛合面  ７…ピニオン  ７ａ…周縁部  ７ｂ…中心部  ７ｃ…接触面  ７ｄ…表面  ７ｅ…凹部  ８ａ〜８ｃ…第１のガイドレール  ９…伝達部  １０…第１の磁性体  １１…選択的伝達部材  １２…第２の磁性体  １２ａ…接触面  １２ｂ…非接触面  １３…抑制部材  １３ａ,１３ｂ…第２のガイドレール  １４…留め部材  １５…留め部材  １５ａ…ビス  １５ｂ…ナット  １５ｃ…ワッシャー  １５ｄ…外歯車  １６…蝶ネジ  １６ａ…内歯車  １７…連結部材  １７ａ…垂直部  １７ｂ…水平部  １８…照明具  １８ａ…ＬＥＤ  １８ｂ…磁性体  １８ｃ…屈曲部材  １９…第１のジョイント  １９ａ…ピン  １９ｂ,１９ｃ…羽根  ２０…第２のジョイント  ２０ａ…ピン  ２０ｂ,２０ｃ…羽根  ５０…収容体  ５０ａ…袋体  ５０ｂ…持ち手  ５１…カップ
【図１】
2020092834.tif 000003
【図２】
2020092834.tif 000004
【図３】
2020092834.tif 000005
【図４】
2020092834.tif 000006
【図５】
2020092834.tif 000007
【図６】
2020092834.tif 000008